(57)【特許請求の範囲】
【請求項１】
スイッチキャビネット（１００）用および他の電気デバイス用の識別デバイス（１）であって、キャリヤプロファイル（２）と少なくとも１つの識別プレート（３）とを備え、前記キャリヤプロファイル（２）が、前記識別プレート（３）を受けるのに適しており前記識別プレート（３）を受けるように設計され、前記キャリヤプロファイル（２）が、後壁（４）と、前記後壁（４）から前方に延びる２つの側面保持壁（５、１５）とを有し、少なくとも１つの支持ウェブ（６、１６）が、前記キャリヤプロファイル（２）上に設けられ、前記支持ウェブが、前記識別プレート（３）を支持するように意図され、少なくとも１つの保持壁（５、１５）まで横方向に延びる識別デバイス（１）において、
少なくとも１つの配置間違いガード（７、１７）が、前記識別プレート（３）が装着されるときに前記支持ウェブ（６、１６）より下に配置されるのを防止するために設けられ、
少なくとも１つの支持ウェブ（６、１６）が、少なくとも１つの保持壁（５、１５）に連結され、
前記支持ウェブ（６、１６）上の前記配置間違いガード（７、１７）が、前記後壁（４）に向かって延びるウェブ（８、１８）を有することを特徴とする識別デバイス（１）。
【請求項２】
前記識別プレート（３）が前記キャリヤプロファイル（２）内に受容されていない際、前記ウェブ（８、１８）の端部と前記後壁（４）との間に隙間（１１）が残り、前記識別プレート（３）が前記キャリヤプロファイル（２）内に受容されている際、前記ウェブ（８、１８）の端部と前記後壁（４）との間に隙間が何も残らないか、またはわずかな隙間だけが残る、請求項１に記載の識別デバイス（１）。
【請求項３】
前記支持ウェブ（６、１６）の少なくとも一部分が、前記後壁（４）に対してほぼ並行して延びる、請求項１または２に記載の識別デバイス（１）。
【請求項４】
前記支持ウェブ（６、１６）が、一方の保持壁（５、１５）から他方の保持壁（５、１５）に向かって延びる、請求項１から３のいずれか一項に記載の識別デバイス（１）。
【請求項５】
少なくとも１つの付勢デバイス（９、１９）が、前記キャリヤプロファイル（２）上で受けた前記識別プレート（３）をクランプするように設けられる、請求項１から４のいずれか一項に記載の識別デバイス（１）。
【請求項６】
前記付勢デバイス（９、１９）が、前記受けた識別プレート（３）を前記後壁（４）から離れるように押し込まれる位置に付勢してはめ込むように設計される、請求項５に記載の識別デバイス（１）。
【請求項７】
前記付勢デバイス（９、１９）が、少なくとも１つの支持ウェブ（６、１６）上にばね部分を備える、請求項６に記載の識別デバイス（１）。
【請求項８】
少なくとも１つの支持ウェブ（６、１６）が、前記識別プレート（３）が前記キャリヤプロファイル（２）内に受容されている際、弾性的に変形される、請求項１から７のいずれか一項に記載の識別デバイス（１）。
【請求項９】
少なくとも１つの保持壁（５、１５）が、前記識別プレート（３）を受けるための受け溝（１２）を有する、請求項１から８のいずれか一項に記載の識別デバイス（１）。
【請求項１０】
少なくとも１つの保持壁（５、１５）の前端部（１３）が、保持ラグ（１４）を有する、請求項１から９のいずれか一項に記載の識別デバイス（１）。
【発明の詳細な説明】
【技術分野】
【０００１】
本発明は、スイッチキャビネット用および他の電気デバイス用ならびにシステム構築用の識別デバイスに関する。
【背景技術】
【０００２】
精密な識別のためにスイッチキャビネットに識別プレートを取り付けるためのスイッチキャビネット用の広範囲の識別デバイスが、従来技術において周知になっている。周知の識別デバイスの欠点は、各々の場合に設けられた識別プレートに支え面および支持面を正確に合わせるので、識別プレートが一般に精密に画定された寸法でなければならないことである。周知の識別デバイスでは、例えば、装着時に誤って識別プレートの片側が用意された支持面より下に押された場合、識別プレートが装着されるときに間違って曲がって挿入されることも可能である。そうすると、装着が繰り返されなければならず、または間違った装着が気付かれずに進められた場合、前記プレートを失う危険がある。
【発明の概要】
【発明が解決しようとする課題】
【０００３】
したがって、本発明の一目的は、装着を簡略化し、識別プレートの配置の間違いをより容易に避けることができるスイッチキャビネット用および他の電気デバイス用の識別デバイスを提供することにある。
【課題を解決するための手段】
【０００４】
この目的は、請求項１の特徴を有するスイッチキャビネット用および他の電気デバイス用の識別デバイスによって、ならびに請求項１３の特徴を有するスイッチキャビネット用および他の電気デバイス用の識別デバイスによって達成される。本発明の好ましい発展形態は、従属請求項の主題である。本発明の他の利点および特徴は、実施形態の一般的な説明および説明に記載されている。
【０００５】
本発明による、スイッチキャビネット用および他の電気デバイス用の識別デバイスは、少なくとも１つのキャリヤプロファイルと、少なくとも１つの識別プレートとを有する。このデバイスでは、キャリヤプロファイルは、識別プレートを受けるのに適しており識別プレートを受けるように設計される。キャリヤプロファイルは、後壁と、後壁から前方に延びる２つの側面保持壁とを備える。少なくとも１つの支持ウェブがキャリヤプロファイル上に設けられ、識別プレートを支持するように意図され、少なくとも１つの保持壁に対して横方向に延びる。識別プレートが装着されるときに支持ウェブより下に配置されるのを防止するために、少なくとも１つの配置間違いガードが設けられる。
【０００６】
本発明による識別デバイスは、多くの利点を有する。本発明による識別デバイスの１つの顕著な利点は、配置間違いガードによって確保される。これにより、装着中に識別プレートを間違って配置することが確実に防止できるようになる。配置間違いガードは、装着中の誤りを顕著に低減する。
【０００７】
本発明により、識別プレートを失う危険が大幅に減少するので、装着が著しく容易になり、動作はより安全である。しかし、従来技術では、間違って装着すると、識別プレートが支持ウェブより下に押されることがある。このような場合は、正しい装着とならないが、取付け人は次の印象を受けることがある。振動、一陣の風または他の外部的な影響の場合に、識別プレートを失うことがあり、したがって、例えば、その働きを知っている者が誰もいない場合、対応するスイッチキャビネットを必ずしも明確に識別することができない。本発明は、このような間違った装着を実質的に避けるのに役立つ。
【０００８】
識別デバイスのキャリヤプロファイルは、具体的には、ほぼＵ字形の外形断面を有する。しかし、例えば、スイッチキャビネット上により大きな接触面を得るために後壁が保持壁を超えて横に延び出ることも可能である。
【０００９】
支持ウェブは、支持するウェブまたは受けるウェブとも呼ばれることがあり、キャリヤプロファイル上で受ける識別プレートを受けるまたは支持するのに使用される。
【００１０】
ここで、単一の識別プレートを受けるために使用される２つ以上のキャリヤプロファイルを設けることも可能であり得ることに留意されたい。２つ以上の識別プレートを１つのキャリヤプロファイル上に配列することも同様に可能である。
【００１１】
好ましくは、少なくとも１つの支持ウェブが少なくとも１つの保持壁に連結される。より好ましくは、１つの支持ウェブは、キャリヤプロファイルの後壁に対してほぼ並行して延びる。
【００１２】
保持壁またはいくつかの保持壁は、好ましくは、後壁の両側に配列され、したがって、側壁または保持壁は、後壁と共に、具体的にはＵ字形の外形断面を形成する。
【００１３】
後壁は、連続的なプレートとして形成することができ、または貫通開口も有する輪郭を備えることができる。
【００１４】
より好ましくは、少なくとも１つの配置間違いガードが少なくとも１つの支持ウェブ上に設けられる。配置間違いガードは、支持ウェブから後壁に向かって延びるウェブを備えることができる。配置間違いガードのウェブは、キャリヤプロファイルの長さの一部にわたってまたは長さ全体にわたって連続的に延びることができる。ウェブは、複数の周期的凹部または破断部を有することも可能である。このようなウェブは、例えば、櫛状であることができる。複数のウェブを設けることも可能である。
【００１５】
好ましくは、基本位置において、配置間違いガードのウェブの端部と後壁との間には隙間が残る。装着位置において、ウェブの端部と後壁との間の隙間は、より小さくすることができる。ウェブは、装着位置にあるとき、もはや隙間がないように、後壁と当接することも可能である。
【００１６】
支持ウェブの少なくとも一部分は、後壁に対してほぼ並行して延びることができる。基本位置または装着位置のいずれかにおいて、配置間違いガードのウェブは、保持壁に対してほぼ並行して延びることができる。例えば、配置間違いガードのウェブは、横方向に延び、具体的には、装着位置にあるとき、後壁に対してほぼ垂直に延びることも可能である。
【００１７】
すべての実施形態において、キャリヤプロファイル上で受けた識別プレートをクランプするために、少なくとも１つの付勢および／またはばねデバイスを設けることが好ましい。この発展形態では、前記装着位置において、識別プレートは、識別プレートがキャリヤプロファイル上にしっかりと嵌合することを確実にするために付勢される。
【００１８】
具体的には、付勢デバイスは、装着位置で受けた識別プレートを後壁から離れるように押される位置に付勢してはめ込むように設計される。
【００１９】
有利な実施形態において、付勢デバイスは少なくとも１つの支持ウェブ上にばね部分を有する。付勢デバイスは、支持ウェブのばね荷重部分によって形成することが可能である。
【００２０】
好ましい実施形態において、少なくとも１つの支持ウェブは、装着位置において弾性的に変形される。配置間違いガードのウェブをばねユニットまたはばねデバイスとして使用し、装着位置にあるとき、後壁上にばね荷重で支持することも可能である。その結果、支持ウェブ上で受けた識別プレートの付勢が実施され、したがって、前記プレートをキャリヤプロファイル上でしっかりと受ける。識別プレートがわずかに異なる寸法（例えば、意図する厚さと異なる厚さ）を有しても、キャリヤプロファイル上で識別プレートの確実な嵌合が確保される。
【００２１】
少なくとも１つの保持壁は、識別プレートを受けるための受け溝を有することが可能である。これにより、具体的には付勢デバイスと連動して、識別プレートの厚さが異なっても、キャリヤプロファイル上で識別プレートの確実な嵌合がもたらされる。
【００２２】
保持ラグを保持壁の前端部に設けることができる。装着時に、保持ラグは、識別プレートを取り囲む。受け溝は、保持ラグと支持ウェブによって形成することができる。
【００２３】
別の実施形態において、本発明による、スイッチキャビネット用、他の電気デバイス用および他のシステム用の識別デバイスは、キャリヤプロファイルと少なくとも１つの識別プレートとを有する。キャリヤプロファイルは、識別プレートを受けるように設計される。キャリヤプロファイルは、後壁と、後壁から前方に延びる２つの側面保持壁とを有する。少なくとも１つの支持ウェブが、キャリヤプロファイル上に設けられ、識別プレートを支持するのに適する。支持ウェブは、少なくとも１つの保持壁まで横方向に延びる。この場合、識別プレートをキャリヤプロファイルに対してしっかりとクランプするのに使用される少なくとも１つの付勢デバイスが設けられる。
【００２４】
本発明によるこの識別デバイスは、識別プレートをキャリヤプロファイル上で堅くおよびしっかりと受けることを可能にするので、顕著な利点も有する。
【００２５】
付勢デバイスは、少なくとも１つの支持ウェブ上に少なくとも１つのばね部分を備えることができる。
【００２６】
識別プレートは、装着位置にあるとき、支持ウェブと保持ラグとの間で保持壁に対してクランプされることが可能である。
【００２７】
この識別デバイスの他の実施形態は、前述の変形形態の一部または全部の特徴の一部または全部を有する。
【００２８】
本発明の他の利点および特徴は、添付の図を参照して以下に説明する実施形態から得られる。
【図面の簡単な説明】
【００２９】
【図１】本発明による識別デバイスのキャリヤプロファイルの斜視図である。
【図２】図１によるキャリヤプロファイルの断面図である。
【図３】スイッチキャビネット上に装着された識別プレートを示す図である。
【図４】装着された識別プレートの別の実施形態を示す図である。
【図５】図４による識別デバイスの断面図である。
【図６】図４による識別デバイスの平面図である。
【図７】図４による識別デバイスのキャリヤプロファイルの斜視図である。
【図８】図７によるキャリヤプロファイルの断面図である。
【図９】図７によるキャリヤプロファイルの一部分の平面図である。
【発明を実施するための形態】
【００３０】
添付の図１から図３を参照し、本発明による識別デバイスの第１の実施形態をまず説明する。本発明による識別デバイス１が、キャリヤプロファイル２と少なくとも１つの識別プレート３とを備える（図３参照）。
【００３１】
本発明による識別デバイス１は、スイッチキャビネット１００用、他の電気デバイス用および他のシステム用を意図しており、キャリヤプロファイル２を用いてスイッチキャビネット１００に固定される。固定は、結合、ねじ、リベットまたは他の固定選択肢を用いて実施することができる。
【００３２】
図１の斜視図に示すキャリヤプロファイル２は、後部プロファイルまたは後壁４ならびにその上の両側に設けられた２つの保持壁５および１５を有する。これらは共にキャリヤプロファイル２のほぼＵ字形の外形断面を生じる。
【００３３】
保持壁５に対して、支持ウェブ６が固定されており、そこから横方向に延びる。保持壁１５上には、支持ウェブ１６が設けられており、そこへ横方向内側に向けて延びる。支持ウェブ６および１６は、識別プレート３を受けるための支え面を形成する。
【００３４】
基本的に、支持ウェブ６および１６は、側面壁から内側に向けて延びないことも可能であるが、別々のキャリヤを用いて後壁上でさらに内側に向けて支持されることも可能である。例えば、ウェブは、保持壁５と１５との間で後壁から上方に延びることができ、そのウェブ上で、支持ウェブ６および１６は、Ｔ字形に配列される。このような構成において、支持ウェブ６および１６は、保持壁５および１５に固定されない。
【００３５】
この場合、支持ウェブ６、１６の内端の各々の上に、配置間違いガード７または１７が配列される。配置間違いガード７および１７は、支持ウェブ６および１６の端部から後壁４に向かって延びるウェブ８、１８として形成することができる。これにより、識別プレート３を支持ウェブ６または１６の一方より下に配置する（間違った装着になる）ことがほとんど不可能なので、確実な配置が確保される。
【００３６】
保持壁５および１５の前端部１３は、各々、識別プレート３を固定するのに使用される保持ラグ１４を有することができる。この場合、受け溝１２を支持ウェブ６および１６と、保持ラグ１４を有する前端部１３との間に各々の場合形成することができ、前記溝は識別プレート３を受けるのに使用される。
【００３７】
本発明の第２の実施形態を図４から図９を参照して説明するが、同じまたは類似の構成部品は、同じ参照番号を有する。
【００３８】
図４は、本発明による、スイッチキャビネット１００に固定される識別デバイス１の斜視図であり、識別プレート３をキャリヤプロファイル２上で受ける。図４は装着位置２０を示す。
【００３９】
キャリヤプロファイル２は、この場合も、後壁４ならびに側面保持壁５および１５を有し、側面保持壁５および１５の各々から支持ウェブ６または１６が内側に向けて延びる。配置間違いガード７および１７が、各支持ウェブ６および１６上にそれぞれ設けられる。配置間違いガード７は、支持ウェブ６から後壁４に向かって延びるウェブ８を有する。それに応じて、配置間違いガード１７は、支持ウェブ１６から後壁４に向かって突き出るウェブ１８を有する。
【００４０】
この実施形態において、ウェブ８、１８は、装着位置２０において後壁４上で支持され、それぞれ付勢デバイス９および１９の一部を形成する。各付勢デバイス９または１９は、ばねデバイスとして働き、識別プレート３に負荷をかけ、それによって前記プレートをキャリヤプロファイル２上に確実におよびしっかりと受けるようにする。
【００４１】
保持ラグ１４が保持壁５および１５の前端部１３上に設けられ、したがって、保持壁５および１５上には受け溝１２があり、それらの溝が、その上で受けた識別プレート３をキャリヤプロファイル２上に確実におよびしっかりと保持する。
【００４２】
図５は、図４による識別デバイス１の断面図である。この図から、配置間違いガード７および１７のウェブ８および１８が装着位置２０において後壁４上に支持されることが明らかである。
【００４３】
弾性領域２３および２４をそれぞれ支持ウェブ６および１６上に設けることが可能であり、それらの領域により、その上に設けられた保護ガード７および１７のウェブ８および１８を有する支持ウェブが弾性的に機能することが可能になる。
【００４４】
識別デバイス１上で受けた識別プレート３は、保持ラグ１４によって保持され、ばねデバイス９、１９によって外側へ、すなわち、後壁４から離れるように付勢され、したがって、識別プレート３は、装着位置２０において張力を受ける。この張力により、わずかな寸法差があっても、識別プレート３の厚さの違いを補償することができ、識別プレート３を識別プレート３のキャリヤプロファイル２上に確実におよびしっかりと受けることが確保される。
【００４５】
図６は、装着された識別プレート３を有する識別デバイス１の平面図である。
【００４６】
図７は、図４からの識別デバイス１のキャリヤプロファイル２の斜視図である。図７は、付勢デバイス９および１９が付勢されない基本位置１０を示す。基本位置１０において、支持ウェブ６および１６は、後壁４に対して完全に並行した向きではなく、図８の断面図に明確に示すように、外側に向いたばね部分を形成する。
【００４７】
ばね部分ならびに付勢デバイス９および１９は、識別プレート３をキャリヤプロファイル上で付勢して受けることを可能にするために、弾性領域２３および２４から外側へ延びる。
【００４８】
配置間違いガード７および１７のウェブ８、１８の端部は、後壁４からの隙間１１を有する。この位置においても、ウェブ８および１８は、識別プレート３が支持ウェブ６または１６より下に配置されることによる間違った装着を確実に防止する。装着中に、ウェブ８および１８ならびに支持ウェブ６および１６は、図５に示す装着位置２０が得られるまで弾性的に変形される。この位置において、ウェブ８および１８の端部と後壁４との間には隙間がない。
【００４９】
図９は、図７によるキャリヤプロファイル２の平面図である。支持ウェブ６および１６は、側面保持壁５および１５の側面から内側に向けて延びる。配置間違いガード７および１７のウェブ８および１８は、それぞれ、その上に配列される。
【００５０】
結局、本発明による識別デバイスは、装着の間違いを大いに防止する確実な機能を提供する。同時に、装着が簡略化される。識別プレートを支持ウェブ６および１６より下に配置することが確実に防止される。各々の場合、識別プレート３の厚さにかかわらず、付勢デバイス９および１９がキャリヤプロファイル２上にしっかりとした嵌合をもたらす。識別プレートを装着するための支持面が拡大され、改善される。
【符号の説明】
【００５１】
１  識別デバイス
２  キャリヤプロファイル
３  識別プレート
４  後部プロファイル、後壁
５  保持壁
６  支持ウェブ
７  配置間違いガード
８  ウェブ
９  付勢デバイス、ばねデバイス
１０  基本位置
１１  隙間
１２  受け溝
１３  前端部
１４  保持ラグ
１５  保持壁
１６  支持ウェブ
１７  配置間違いガード
１８  ウェブ
１９  付勢デバイス、ばねデバイス
２０  装着位置
２１  部分
２２  部分
２３  弾性領域
２４  弾性領域
１００  スイッチキャビネット
【図１】
0005934430.tif 000002
【図２】
0005934430.tif 000003
【図３】
0005934430.tif 000004
【図４】
0005934430.tif 000005
【図５】
0005934430.tif 000006
【図６】
0005934430.tif 000007
【図７】
0005934430.tif 000008
【図８】
0005934430.tif 000009
【図９】
0005934430.tif 000010